(57)【要約】【課題】事前に決済機器の位置を調査したり、調査により取得した位置情報を決済履歴管理サーバに手作業で登録する等の煩雑な作業を不要とし、利用者の携帯端末にも過度な負担をかけることなく、位置情報が含まれる決済履歴情報を取得する。【解決手段】電子決済の利用者が所持する携帯端末１００と、電子決済を行う場所に設置される決済機器２００と、携帯端末１００及び決済機器２００と通信可能に接続される決済履歴管理サーバ３００とを備える決済履歴管理システムにおいて、決済機器自身の位置情報が決済履歴管理サーバ３００に格納されていない場合に、決済相手の携帯端末１００が持つＧＰＳ、基地局測位等の位置情報取得機能を利用して決済機器自身の位置情報を取得し、これを決済履歴管理サーバ３００に自動的に格納する。【選択図】図１
2010250471.tif 000002
【特許請求の範囲】
【請求項１】
電子決済の利用者が所持する携帯端末と、
電子決済を行う場所に設置される決済機器と、
前記携帯端末及び前記決済機器と通信可能に接続される決済履歴管理サーバと、を備え、
前記決済機器が、
決済機器自身の識別子である決済機器ＩＤを格納する機器ＩＤ情報格納部と、
決済機器自身の位置情報が前記決済履歴管理サーバに格納された状態であるか否かを管理する位置情報格納状態管理部と、
電子決済を行う際に前記携帯端末と近距離通信を行う近距離通信部と、
前記携帯端末との間で電子決済を実行する決済実行部と、
電子決済を行った際に、決済日時、決済相手の携帯端末ＩＤ及び決済機器ＩＤが含まれる決済履歴情報を前記決済履歴管理サーバに送信する決済履歴送信部と、
決済機器自身の位置情報が前記決済履歴管理サーバに格納されていない場合に、近距離通信中の前記携帯端末に対して位置情報取得指示を送信する位置情報取得指示部と、を備え、
前記携帯端末が、
携帯端末自身の識別子である携帯端末ＩＤを格納する端末ＩＤ情報格納部と、
電子決済を行う際に前記決済機器と近距離通信を行う近距離通信部と、
前記決済機器との間で電子決済を実行する決済実行部と、
前記決済機器から位置情報取得指示を受信した場合に、現在の位置情報を取得する位置情報取得部と、
取得した位置情報を前記決済履歴管理サーバ及び／又は前記決済機器に送信する機器位置情報送信部と、を備え、
前記決済履歴管理サーバが、
前記決済機器が送信した決済履歴情報を受信する履歴情報受信部と、
受信した決済履歴情報を格納する履歴情報格納部と、
前記携帯端末が取得した位置情報を前記携帯端末及び／又は前記決済機器から受信する機器位置情報受信部と、
受信した位置情報を該当する決済機器ＩＤと関連付けて格納する決済機器情報格納部と、を備えることを特徴とする決済履歴管理システム。
【請求項２】
前記携帯端末の機器位置情報送信部が、
取得した位置情報及び決済相手の決済機器ＩＤが含まれる決済機器位置情報を前記決済履歴管理サーバに送信し、
前記決済履歴管理サーバの決済機器情報格納部が、
受信した決済機器位置情報に含まれる位置情報と決済機器ＩＤを関連付けて格納する請求項１記載の決済履歴管理システム。
【請求項３】
前記携帯端末の機器位置情報送信部が、
決済時刻が含まれる決済機器位置情報を前記決済履歴管理サーバに送信し、
前記決済履歴管理サーバの決済機器情報格納部が、
決済機器位置情報の受信時刻又は現在時刻と、受信した決済機器位置情報に含まれる決済時刻とを比較し、両時刻の差が所定時間以内である場合にのみ、受信した決済機器位置情報に含まれる位置情報と決済機器ＩＤを関連付けて格納する請求項２記載の決済履歴管理システム。
【請求項４】
前記携帯端末の機器位置情報送信部が、
取得した位置情報を前記決済機器にのみ送信し、
前記決済機器が、
前記携帯端末が送信した位置情報を受信する機器位置情報受信部と、
受信した位置情報及び決済機器ＩＤが含まれる決済機器位置情報を前記決済履歴管理サーバに送信する機器位置情報送信部と、を備え、
前記決済履歴管理サーバの決済機器情報格納部が、
受信した決済機器位置情報に含まれる位置情報と決済機器ＩＤを関連付けて格納する請求項１記載の決済履歴管理システム。
【請求項５】
前記決済履歴管理サーバが、
前記決済機器情報格納部に格納された前記決済機器の位置情報と、前記履歴情報格納部に格納された決済履歴情報と、地図データとが合成された決済履歴表示データを生成する決済履歴表示データ生成部を備える請求項１〜４のいずれか一項に記載の決済履歴管理システム。
【請求項６】
電子決済の利用者が所持する携帯端末と、
電子決済を行う場所に設置される決済機器と、
前記携帯端末及び前記決済機器と通信可能に接続される決済履歴管理サーバと、を用い、
前記決済機器が、
決済機器自身の識別子である決済機器ＩＤを格納し、
決済機器自身の位置情報が前記決済履歴管理サーバに格納された状態であるか否かを管理し、
電子決済を行う際に前記携帯端末と近距離通信を行い、
前記携帯端末との間で電子決済を実行し、
電子決済を行った際に、決済日時、決済相手の携帯端末ＩＤ及び決済機器ＩＤが含まれる決済履歴情報を前記決済履歴管理サーバに送信し、
決済機器自身の位置情報が前記決済履歴管理サーバに格納されていない場合に、近距離通信中の前記携帯端末に対して位置情報取得指示を送信し、
前記携帯端末が、
携帯端末自身の識別子である携帯端末ＩＤを格納し、
電子決済を行う際に前記決済機器と近距離通信を行い、
前記決済機器との間で電子決済を実行し、
前記決済機器から位置情報取得指示を受信した場合に、現在の位置情報を取得し、
取得した位置情報を前記決済履歴管理サーバ及び／又は前記決済機器に送信し、
前記決済履歴管理サーバが、
前記決済機器が送信した決済履歴情報を受信し、
受信した決済履歴情報を格納し、
前記携帯端末が取得した位置情報を前記携帯端末及び／又は前記決済機器から受信し、
受信した位置情報を該当する決済機器ＩＤと関連付けて格納することを特徴とする決済履歴管理方法。
【請求項７】
前記携帯端末が、
前記決済機器からの位置情報取得指示に応じて現在の位置情報を取得した場合に、取得した位置情報及び決済相手の決済機器ＩＤが含まれる決済機器位置情報を前記決済履歴管理サーバに送信し、
前記決済履歴管理サーバが、
受信した決済機器位置情報に含まれる位置情報と決済機器ＩＤを関連付けて格納する請求項６記載の決済履歴管理方法。
【請求項８】
携帯端末と電子決済を行う場所に設置されとともに、決済履歴管理サーバと通信可能に接続され、
決済機器自身の識別子である決済機器ＩＤを格納する機器ＩＤ情報格納部と、
決済機器自身の位置情報が前記決済履歴管理サーバに格納された状態であるか否かを管理する位置情報格納状態管理部と、
電子決済を行う際に前記携帯端末と近距離通信を行う近距離通信部と、
前記携帯端末との間で電子決済を実行する決済実行部と、
電子決済を行った際に、決済日時、決済相手の携帯端末ＩＤ及び決済機器ＩＤが含まれる決済履歴情報を前記決済履歴管理サーバに送信する決済履歴送信部と、
決済機器自身の位置情報が前記決済履歴管理サーバに格納されていない場合に、近距離通信中の前記携帯端末に対して位置情報取得指示を送信する位置情報取得指示部と、を備えることを特徴とする決済機器。
【請求項９】
前記携帯端末が送信した位置情報を受信する機器位置情報受信部と、
受信した位置情報及び決済機器ＩＤが含まれる決済機器位置情報を前記決済履歴管理サーバに送信する機器位置情報送信部と、を備える請求項８記載の決済機器。
【請求項１０】
携帯端末と電子決済を行う場所に設置されとともに、決済履歴管理サーバと通信可能に接続され決済機器を構成するコンピュータを、
決済機器自身の識別子である決済機器ＩＤを格納する機器ＩＤ情報格納手段、
決済機器自身の位置情報が前記決済履歴管理サーバに格納された状態であるか否かを検出する位置情報格納状態管理手段、
電子決済を行う際に前記携帯端末と近距離通信を行う近距離通信手段、
前記携帯端末との間で電子決済を実行する決済実行手段、
電子決済を行った際に、決済日時、決済相手の携帯端末ＩＤ及び決済機器ＩＤが含まれる決済履歴情報を前記決済履歴管理サーバに送信する決済履歴送信手段、
決済機器自身の位置情報が前記決済履歴管理サーバに格納されていない場合に、近距離通信中の前記携帯端末に対して位置情報取得指示を送信する位置情報取得指示手段、
として機能させる決済履歴管理プログラム。
【請求項１１】
前記決済機器を構成するコンピュータを、さらに、
前記携帯端末が送信した位置情報を受信する機器位置情報受信手段、
受信した位置情報及び決済機器ＩＤが含まれる決済機器位置情報を前記決済履歴管理サーバに送信する機器位置情報送信手段、
として機能させる請求項１０記載の決済履歴管理プログラム。
【発明の詳細な説明】
【技術分野】
【０００１】
本発明は、電子決済の履歴情報を収集して管理する決済履歴管理システム及び決済履歴管理方法、さらには、電子決済を行う場所に設置される決済機器及び決済履歴管理プログラムに関する。
【背景技術】
【０００２】
近年、携帯電話等の携帯端末やＩＣカードを利用して決済を行う電子決済サービスが普及している。このような電子決済サービスでは、利用者が所有する電子決済対応の携帯端末やＩＣカードを、店舗のＰＯＳレジスタや自動販売機等、様々な場所に設置された決済機器にかざすことで決済が実行される。
【０００３】
また、電子決済の周辺サービスとして、電子決済の履歴情報を利用したマーケティング調査サービスや利用者向け情報提供サービスが提案されている。
例えば、電子決済を行った位置情報が含まれる決済履歴情報を利用すれば、電子決済の利用者に広告を提示する際、利用者がよく電子決済を行う場所の近くにある店舗の広告を優先的に提示したり、利用者がよく電子決済を行う場所にマークが付された地図データを利用者に提示するといったサービスの提供が可能になる。
【０００４】
ここで、電子決済において、位置情報が含まれる決済履歴情報を取得するには、大きく分けて二つの方法がある。
第一の方法は、店舗等に設置された決済機器が、決済履歴情報を決済履歴管理サーバに送信する方法である。具体的には、決済機器が、決済日時と、決済機器の識別子と、電子決済を行った携帯端末の識別子とが含まれる決済履歴情報を決済履歴管理サーバに送信する。この決済履歴情報を受け取る決済履歴管理サーバ側では、あらかじめ決済機器の識別子と位置情報との対応表を持っておく。そして、決済履歴管理サーバにおいて決済機器から送信されてきた決済履歴情報と対応表を照合することで、どの利用者がいつどこで電子決済を行ったかという情報を得ることができる。
【０００５】
第二の方法は、携帯端末が持つ、ＧＰＳ（Ｇｌｏｂａｌ  Ｐｏｓｉｔｉｏｎｉｎｇ  Ｓｙｓｔｅｎ）、基地局測位等の位置情報取得機能を利用する方法である。
例えば、特許文献１では、電子決済を行った際に、携帯端末が位置情報取得を行い、その位置情報と、時刻情報と、決済機器の識別子とを決済履歴管理サーバに送信することで、位置情報が含まれる決済履歴情報を取得する方法が示されている。
また、特許文献２においても、同様の手法を用いた決済関連サービスの実施方法が示されている。
【先行技術文献】
【特許文献】
【０００６】
【特許文献１】特開２００６−２５９４１９号公報
【特許文献２】特開２００７−１９９８３１号公報
【発明の概要】
【発明が解決しようとする課題】
【０００７】
しかしながら、上述した第一の方法では、決済履歴管理サーバ側が、あらかじめ決済機器の識別子と位置情報との対応表を持つことが前提となるので、決済履歴情報に係るサービスの提供に先立ち、すべての決済機器の位置を調査したり、調査により取得した位置情報を決済履歴管理サーバに手作業で登録（格納）する等、煩雑な作業が必要になるという問題があった。
また、決済機器の設置数は、日々増加しているので、決済履歴情報に係るサービスの提供開始後であっても、決済機器の位置調査や登録作業は継続する必要があった。
このため、この第一の方法では、実際にはすべての決済機器の位置を把握することは困難で、正確な位置情報に基づく的確なサービスを提供することはできなかった。
【０００８】
また、第二の方法では、電子決済を行う毎に利用者の携帯端末に決済履歴情報を送信させるため、電子決済を頻繁に利用する利用者ほど、決済履歴情報を送信するための通信パケットや消費電力の負担が大きくなるという問題があった。
また、電子決済を行う毎に、利用者に決済履歴情報の送信の可否を確認することも可能であるが、この場合には、利用者の操作負担が増すだけでなく、利用者の送信拒否により決済履歴情報や決済機器の位置情報の取得が困難になる可能性があった。
【０００９】
本発明の目的は、上述した課題である、位置情報が含まれる決済履歴情報を取得するにあたっての、事前の決済機器の位置の調査、調査により取得された位置情報の決済履歴管理サーバへの登録等の煩雑な作業や、携帯端末利用者への負担をなくし、すべての決済機器の位置情報を正しく把握するという課題を解決する決済履歴管理システム、決済履歴管理方法、決済機器及び決済履歴管理プログラムを提供することにある。
【課題を解決するための手段】
【００１０】
上記目的を達成するため本発明の決済履歴管理システムは、電子決済の利用者が所持する携帯端末と、電子決済を行う場所に設置される決済機器と、前記携帯端末及び前記決済機器と通信可能に接続される決済履歴管理サーバと、を備え、前記決済機器が、決済機器自身の識別子である決済機器ＩＤを格納する機器ＩＤ情報格納部と、決済機器自身の位置情報が前記決済履歴管理サーバに格納された状態であるか否かを管理する位置情報格納状態管理部と、電子決済を行う際に前記携帯端末と近距離通信を行う近距離通信部と、前記携帯端末との間で電子決済を実行する決済実行部と、電子決済を行った際に、決済日時、決済相手の携帯端末ＩＤ及び決済機器ＩＤが含まれる決済履歴情報を前記決済履歴管理サーバに送信する決済履歴送信部と、決済機器自身の位置情報が前記決済履歴管理サーバに格納されていない場合に、近距離通信中の前記携帯端末に対して位置情報取得指示を送信する位置情報取得指示部と、を備え、前記携帯端末が、携帯端末自身の識別子である携帯端末ＩＤを格納する端末ＩＤ情報格納部と、電子決済を行う際に前記決済機器と近距離通信を行う近距離通信部と、前記決済機器との間で電子決済を実行する決済実行部と、前記決済機器から位置情報取得指示を受信した場合に、現在の位置情報を取得する位置情報取得部と、取得した位置情報を前記決済履歴管理サーバ及び／又は前記決済機器に送信する機器位置情報送信部と、を備え、前記決済履歴管理サーバが、前記決済機器が送信した決済履歴情報を受信する履歴情報受信部と、受信した決済履歴情報を格納する履歴情報格納部と、前記携帯端末が取得した位置情報を前記携帯端末及び／又は前記決済機器から受信する機器位置情報受信部と、受信した位置情報を該当する決済機器ＩＤと関連付けて格納する決済機器情報格納部と、を備える構成としてある。
【００１１】
また、本発明の決済履歴管理方法は、電子決済の利用者が所持する携帯端末と、電子決済を行う場所に設置される決済機器と、前記携帯端末及び前記決済機器と通信可能に接続される決済履歴管理サーバと、を用い、前記決済機器が、決済機器自身の識別子である決済機器ＩＤを格納し、決済機器自身の位置情報が前記決済履歴管理サーバに格納された状態であるか否かを管理し、電子決済を行う際に前記携帯端末と近距離通信を行い、前記携帯端末との間で電子決済を実行し、電子決済を行った際に、決済日時、決済相手の携帯端末ＩＤ及び決済機器ＩＤが含まれる決済履歴情報を前記決済履歴管理サーバに送信し、決済機器自身の位置情報が前記決済履歴管理サーバに格納されていない場合に、近距離通信中の前記携帯端末に対して位置情報取得指示を送信し、前記携帯端末が、携帯端末自身の識別子である携帯端末ＩＤを格納し、電子決済を行う際に前記決済機器と近距離通信を行い、前記決済機器との間で電子決済を実行し、前記決済機器から位置情報取得指示を受信した場合に、現在の位置情報を取得し、取得した位置情報を前記決済履歴管理サーバ及び／又は前記決済機器に送信し、前記決済履歴管理サーバが、前記決済機器が送信した決済履歴情報を受信し、受信した決済履歴情報を格納し、前記携帯端末が取得した位置情報を前記携帯端末及び／又は前記決済機器から受信し、受信した位置情報を該当する決済機器ＩＤと関連付けて格納する方法としてある。
【００１２】
また、本発明の決済機器は、携帯端末と電子決済を行う場所に設置されとともに、決済履歴管理サーバと通信可能に接続され、決済機器自身の識別子である決済機器ＩＤを格納する機器ＩＤ情報格納部と、決済機器自身の位置情報が前記決済履歴管理サーバに格納された状態であるか否かを管理する位置情報格納状態管理部と、電子決済を行う際に前記携帯端末と近距離通信を行う近距離通信部と、前記携帯端末との間で電子決済を実行する決済実行部と、電子決済を行った際に、決済日時、決済相手の携帯端末ＩＤ及び決済機器ＩＤが含まれる決済履歴情報を前記決済履歴管理サーバに送信する決済履歴送信部と、決済機器自身の位置情報が前記決済履歴管理サーバに格納されていない場合に、近距離通信中の前記携帯端末に対して位置情報取得指示を送信する位置情報取得指示部と、を備える構成としてある。
【００１３】
さらに、本発明の決済履歴管理プログラムは、携帯端末と電子決済を行う場所に設置されとともに、決済履歴管理サーバと通信可能に接続され決済機器を構成するコンピュータを、決済機器自身の識別子である決済機器ＩＤを格納する機器ＩＤ情報格納手段、決済機器自身の位置情報が前記決済履歴管理サーバに格納された状態であるか否かを検出する位置情報格納状態管理手段、電子決済を行う際に前記携帯端末と近距離通信を行う近距離通信手段、前記携帯端末との間で電子決済を実行する決済実行手段、電子決済を行った際に、決済日時、決済相手の携帯端末ＩＤ及び決済機器ＩＤが含まれる決済履歴情報を前記決済履歴管理サーバに送信する決済履歴送信手段、決済機器自身の位置情報が前記決済履歴管理サーバに格納されていない場合に、近距離通信中の前記携帯端末に対して位置情報取得指示を送信する位置情報取得指示手段、として機能させるプログラムとして構成してある。
【発明の効果】
【００１４】
本発明によれば、位置情報が含まれる決済履歴情報を取得するにあたり、事前に決済機器の位置を調査したり、調査により取得した位置情報を決済履歴管理サーバに手作業で登録する等の煩雑な作業が不要になるとともに、利用者の携帯端末に過度な負担をかけることなく、すべての決済機器の位置情報を正しく把握して、的確なサービスを提供することができる。
【図面の簡単な説明】
【００１５】
【図１】本発明の第一実施形態に係る決済履歴管理システムの概要を示すブロック図である。
【図２】本発明の第二実施形態に係る決済履歴管理システムのブロック図である。
【図３】本発明の第二実施形態に係る決済履歴管理システムにおいて、決済機器に格納される決済履歴情報の例を示す説明図である。
【図４】本発明の第二実施形態に係る決済履歴管理システムにおいて、決済履歴管理サーバに格納される決済履歴情報の例を示す説明図である。
【図５】本発明の第二実施形態に係る決済履歴管理システムにおいて、決済履歴管理サーバに格納される決済機器情報の例を示す説明図である。
【図６】本発明の第二実施形態に係る決済履歴管理システムにおいて、携帯端末から決済履歴管理サーバに送られる位置情報の例を示す説明図である。
【図７】本発明の第二実施形態に係る決済履歴管理システムにおいて、電子決済時における決済機器の動作手順を示すフローチャートである。
【図８】本発明の第二実施形態に係る決済履歴管理システムにおいて、電子決済時における携帯端末の動作手順を示すフローチャートである。
【図９】本発明の第二実施形態に係る決済履歴管理システムにおいて、機器位置情報格納時における決済履歴管理サーバの動作手順を示すフローチャートである。
【図１０】本発明の第二実施形態に係る決済履歴管理システムにおいて、決済履歴管理サーバにおける機器位置情報の格納例を示す説明図である。
【図１１】本発明の第二実施形態に係る決済履歴管理システムにおける決済履歴表示データの例を示す説明図である。
【図１２】本発明の第三実施形態に係る決済履歴管理システムのブロック図である。
【発明を実施するための形態】
【００１６】
以下、本発明の決済履歴管理システム、決済履歴管理方法、決済機器及び決済履歴管理プログラムの実施形態について、図面を参照して説明する。
なお、以下に示す本発明の決済履歴管理システム及び決済機器で実行される処理動作（決済履歴管理方法）は、プログラム（ソフトウェア）の命令によりコンピュータで実行される処理，手段，機能によって実現される。プログラムは、コンピュータの各構成要素に指令を送り、以下に示すような本発明の所定の処理、例えば、決済機器が、当該決済機器の位置情報が決済履歴管理サーバに格納された状態であるか否かを判定・検出する処理、電子決済を行う際に携帯端末と近距離通信を行う処理、携帯端末との間で電子決済を実行する処理、電子決済を行った際に、決済日時、決済相手の携帯端末ＩＤ及び決済機器ＩＤが含まれる決済履歴情報を決済履歴管理サーバに送信する処理、当該決済機器自身の位置情報が決済履歴管理サーバに格納されていない場合に、近距離通信中の携帯端末に対して位置情報取得指示を送信する処理等の処理・手順を行わせる。
【００１７】
このように、本発明における各処理や手段は、プログラムとコンピュータとが協働した具体的手段によって実現される。
なお、プログラムの全部又は一部は、例えば、磁気ディスク，光ディスク，半導体メモリ，その他任意のコンピュータで読取り可能な記録媒体により提供され、記録媒体から読み出されたプログラムがコンピュータにインストールされて実行される。また、プログラムは、記録媒体を介さず、通信回線を通じて直接にコンピュータにロードし実行することもできる。
【００１８】
［第一実施形態］
図１は、本発明の第一実施形態に係る決済履歴管理システムの概要を示すブロック図である。
この図に示すように、本実施形態に係る決済履歴管理システムは、電子決済の履歴情報を収集して管理するために構成されるものであって、電子決済の利用者が所持する携帯端末１００と、電子決済を行う場所に設置される決済機器２００と、携帯電話通信網、インターネット、専用回線等を介して、携帯端末１００及び決済機器２００と通信可能に接続され、電子決済の履歴情報を収集して管理する決済履歴管理サーバ３００とを備えて構成されている。
【００１９】
ここで、携帯端末１００は、電子決済の利用者がそれぞれ保持するものであり、本システムにおいては、複数の携帯端末１００が存在することを想定している。
また、決済機器２００は、電子決済が行われる店舗、自動販売機等にそれぞれ設置されるものであり、本システムにおいては、複数の決済機器２００が存在することを想定している。
【００２０】
携帯端末１００は、携帯端末自身の識別子である携帯端末ＩＤを格納する端末ＩＤ情報格納部１０１と、電子決済を行う際に決済機器２００と近距離通信を行う近距離通信部１０２と、決済機器２００との間で電子決済を実行する決済実行部１０３とを備えている。
【００２１】
決済機器２００は、決済機器自身の識別子である決済機器ＩＤを格納する機器ＩＤ情報格納部２０１と、電子決済を行う際に携帯端末１００と近距離通信を行う近距離通信部２０２と、携帯端末１００との間で電子決済を実行する決済実行部２０３と、電子決済を行った際に、決済日時、決済相手の携帯端末ＩＤ及び決済機器ＩＤが含まれる決済履歴情報を決済履歴管理サーバ３００に送信する決済履歴送信部２０４とを備えている。
【００２２】
決済履歴管理サーバ３００は、決済機器２００が送信した決済履歴情報を受信する履歴情報受信部３０１と、受信した決済履歴情報を格納する履歴情報格納部３０２とを備えている。
【００２３】
以上のように構成された決済履歴管理システムでは、決済履歴管理サーバ３００側が、あらかじめ決済機器２００の識別子と位置情報との対応表を持つことにより、位置情報が含まれた決済履歴情報を取得することが可能となる。但し、上記のような対応表を持つためには、事前に決済機器の位置を調査したり、調査により取得した位置情報を決済履歴管理サーバ３００に手作業で登録（格納）する等、煩雑な作業が必要になるという問題があった。
【００２４】
そこで、本実施形態に係る決済履歴管理システムは、決済機器２００が、決済機器自身の位置情報が決済履歴管理サーバ３００に格納された状態であるか否かを管理する位置情報格納状態管理部２０５と、決済機器自身の位置情報が決済履歴管理サーバ３００に格納されていない場合に、近距離通信中の携帯端末１００に対して位置情報取得指示を送信する位置情報取得指示部２０６とを備えている。
また、携帯端末１００が、決済機器２００から位置情報取得指示を受信した場合に、現在の位置情報を取得する位置情報取得部１０４と、取得した位置情報を決済履歴管理サーバ３００及び／又は決済機器２００に送信する機器位置情報送信部１０５とを備えている。
【００２５】
さらに、決済履歴管理サーバ３００が、携帯端末１００が取得した位置情報を携帯端末１００及び／又は決済機器２００から受信する機器位置情報受信部３０３と、受信した位置情報を該当する決済機器ＩＤと関連付けて格納する決済機器情報格納部３０４とを備えている。
このような構成とすることにより、上述した対応表の問題を解決している。
【００２６】
具体的には、本実施形態では、決済機器自身の位置情報が決済履歴管理サーバ３００に格納されていない場合には、決済相手の携帯端末１００が持つＧＰＳ、基地局測位等の位置情報取得機能を利用して決済機器自身の位置情報を取得し、これを決済履歴管理サーバ３００に自動的に格納することができる。
これにより、位置情報が含まれる決済履歴情報を取得するにあたって、事前に決済機器２００の位置を調査したり、調査により取得した位置情報を決済履歴管理サーバ３００に手作業で登録する等の煩雑な作業が不要になる。
しかも、携帯端末１００の位置情報取得機能を利用する回数は、決済履歴管理サーバ３００が管理する決済機器２００の総数を超えることはないので、利用者の携帯端末１００に過度な負担をかけることのないものとできる。
【００２７】
なお、決済機器２００の位置情報取得指示部２０６は、電子決済が実行されるか否かにかかわらず、近距離通信中の携帯端末１００に対して位置情報取得指示を行うことができる。
例えば、電子決済に係る金額等の設定を行わない状態で決済機器２００に携帯端末１００をかざした場合であっても、近距離通信中の携帯端末１００に対して位置情報取得指示を行い、決済機器２００の位置情報を取得することができる。
【００２８】
なお、以上のように構成された本発明の決済履歴管理システムにおいては、携帯端末１００が取得した位置情報を、携帯端末１００から決済履歴管理サーバ３００に直接送信する概念と、携帯端末１００が取得した位置情報を、近距離通信で決済機器２００に送信し、決済機器２００から決済履歴管理サーバ３００に送信する概念が含まれるが、本システムの実施に際しては、いずれか一方を採用することができる。
そこで、前者を第二実施形態、後者を第三実施形態として以下に説明する。
【００２９】
［第二実施形態］
図２は、本発明の第二実施形態に係る決済履歴管理システムのブロック図である。
この図に示されるように、第二実施形態に係る決済履歴管理システムは、図１に示されるものと同様に、電子決済の利用者が所持する携帯端末１００と、電子決済を行う場所に設置される決済機器２００と、携帯端末１００及び決済機器２００と通信可能に接続され、電子決済の履歴情報を収集して管理する決済履歴管理サーバ３００とを備えて構成されている。
【００３０】
携帯端末１００は、端末ＩＤ情報格納部１０１と、近距離通信部１０２と、決済実行部１０３と、位置情報取得部１０４と、機器位置情報送信部１０５と、決済履歴情報表示部１０６とを備えている。
【００３１】
端末ＩＤ情報格納部１０１は、携帯端末１００を一意に識別可能な端末ＩＤを格納する。
近距離通信部１０２は、電子決済時に決済機器２００と通信を行う。
決済実行部１０３は、電子決済時に金額情報等を決済機器２００との間でやり取りするとともに、端末ＩＤ情報格納部１０１に格納された端末ＩＤを決済機器２００に送信することにより、電子決済を実行する。
【００３２】
位置情報取得部１０４は、決済機器２００から位置情報取得指示を受信した場合に、位置情報取得機能を使って携帯端末１００の現在の位置情報を取得する。
機器位置情報送信部１０５は、取得した位置情報、決済相手の決済機器ＩＤ及び決済時刻が含まれる決済機器位置情報を決済履歴管理サーバ３００に送信する。
決済履歴情報表示部１０６は、決済履歴管理サーバ３００から取得した決済履歴情報（決済履歴表示データ）を表示する。
【００３３】
決済機器２００は、機器ＩＤ情報格納部２０１と、位置情報格納状態管理部２０５と、近距離通信部２０２と、決済実行部２０３と、決済履歴格納部２０７と、決済履歴送信部２０４と、位置情報取得指示部２０６とを備えている。
【００３４】
機器ＩＤ情報格納部２０１は、決済機器を一意に識別可能な機器ＩＤを格納する。
位置情報格納状態管理部２０５は、決済機器自身の位置情報が決済履歴管理サーバ３００に格納された状態であるか否かを管理する。
近距離通信部２０２は、電子決済時に携帯端末１００と通信を行う。
決済実行部２０３は、電子決済時に金額情報、端末ＩＤ等を携帯端末１００との間でやり取りすることにより、電子決済を実行する。
【００３５】
決済履歴格納部２０７は、電子決済が行われたとき、決済日時、決済機器２００の識別子である機器ＩＤ、決済相手の携帯端末１００の端末ＩＤなどを格納する。
決済履歴送信部２０４は、決済履歴格納部２０７に格納された決済履歴情報を決済履歴管理サーバ３００に送信する。
位置情報取得指示部２０６は、当該決済機器２００の位置情報が決済履歴管理サーバ３００に格納されていない場合に、決済相手である携帯端末１００に対し、位置情報を取得して決済履歴管理サーバ３００に送信するように指示を行う。
【００３６】
決済履歴管理サーバ３００は、履歴情報受信部３０１と、履歴情報格納部３０２と、機器位置情報受信部３０３と、決済機器情報格納部３０４と、決済履歴表示データ生成部３０５とを備えている。
【００３７】
履歴情報受信部３０１は、決済機器２００が送信した決済履歴情報を受信する。
履歴情報格納部３０２は、受信した決済履歴情報を格納する。
機器位置情報受信部３０３は、携帯端末１００が送信した機器位置情報を受信する。
決済機器情報格納部３０４は、受信した決済機器位置情報に含まれる位置情報と決済機器ＩＤを関連付けて格納する。このとき、決済機器位置情報の受信時刻又は現在時刻と、受信した決済機器位置情報に含まれる決済時刻とを比較し、両時刻の差が所定時間以内である場合にのみ、受信した決済機器位置情報に含まれる位置情報と決済機器ＩＤを関連付けて格納する。
【００３８】
決済履歴表示データ生成部３０５は、決済機器情報格納部３０４に格納された決済機器２００の位置情報と、履歴情報格納部３０２に格納された決済履歴情報と、地図データとが合成された決済履歴表示データを生成する。この決済履歴表示データは、携帯端末１００に提供し、携帯端末１００の決済履歴情報表示部１０６に表示することができる。
【００３９】
図３は、決済機器に格納される決済履歴情報の例を示す説明図である。
この図に示すように、決済機器２００の決済履歴格納部２０７には、決済履歴情報として、決済が行われた決済日時、決済を行った決済機器２００の機器ＩＤ、決済を行った携帯端末１００の端末ＩＤ、決済金額等の情報が格納される。これらの決済履歴情報は、同じ決済機器２００で行われたものであるため、決済機器ＩＤの格納領域には、同じ機器ＩＤが格納されている。
【００４０】
図４は、決済履歴管理サーバに格納される決済履歴情報の例を示す説明図である。
この図に示すように、決済履歴管理サーバ３００の履歴情報格納部３０２には、決済履歴情報として、決済が行われた決済日時、決済を行った決済機器２００の機器ＩＤ、決済を行った携帯端末１００の端末ＩＤ、決済金額等の情報が格納される。決済履歴管理サーバ３００は、全ての決済機器２００で行われた電子決済の履歴情報を収集・格納するので、決済機器ＩＤの格納領域には、様々な機器ＩＤが格納されている。
【００４１】
図５は、決済履歴管理サーバに格納される決済機器情報の例を示す説明図である。
この図に示すように、決済履歴管理サーバ３００の決済機器情報格納部３０４には、決済機器情報として、決済機器２００の機器ＩＤと、その位置情報の登録状況と、登録されている場合にはその位置情報（緯度及び経度）が格納される。ここで、決済機器情報格納部３０４には、位置情報が格納された決済機器２００の情報と、位置情報が格納されていない決済機器２００の情報とが混在しており、位置情報が格納されていない決済機器２００において、前述した位置情報取得指示が実行される。
【００４２】
図６は、携帯端末から決済履歴管理サーバに送られる位置情報の例を示す説明図である。
この図に示すように、携帯端末１００から決済履歴管理サーバ３００に送信される機器位置情報には、携帯端末１００が決済を行った相手である決済機器２００の機器ＩＤと、携帯端末自身の端末ＩＤと、携帯端末１００がＧＰＳ等の位置情報取得機能を用いて取得した現在位置情報（緯度及び経度）と、決済を行った時刻が含まれている。これにより、決済履歴管理サーバ３００は、決済機器情報格納部３０４に位置情報が格納されていない決済機器２００の位置情報を取得し、これを決済機器ＩＤと関連付けて格納することが可能となる。
【００４３】
つぎに、本発明の第二実施形態に係る決済履歴管理システムの特徴的な動作について、図７〜図９を参照して説明する。
【００４４】
図７は、電子決済時における決済機器の動作手順を示すフローチャートである。
この図に示すように、決済機器２００が携帯端末１００との間で電子決済を行うにあたり、まず、ステップＳ１０１では、決済実行部２０３により、決済機器２００と携帯端末１００との間で決済が実行される。
ステップＳ１０２では、決済機器２００が位置情報格納状態管理部２０５を参照し、決済機器自身の位置情報が決済履歴管理サーバ３００に格納されているか否かを確認・検出する。ここで、位置情報が格納されていないと検出・判断された場合はステップＳ１０３に進み、位置情報が格納されていると検出・判断された場合はステップＳ１０４に進む。
【００４５】
ステップＳ１０３では、位置情報取得指示部２０６が、決済相手の携帯端末１００に対して位置情報送信指示を送信する。
ステップＳ１０４では、電子決済の履歴情報を決済履歴格納部２０７に格納する。決済履歴情報は、少なくとも決済機器ＩＤ、携帯端末ＩＤ、決済日時を含む情報である。なお、ステップＳ１０４はステップＳ１０１の直後に行われても良い。
【００４６】
図８は、電子決済時における携帯端末の動作手順を示すフローチャートである。
この図に示すように、携帯端末１００が決済機器２００との間で電子決済を行うにあたり、まず、ステップＳ２０１では、決済実行部１０３により、携帯端末１００と決済機器２００との間で決済が実行される。
ステップＳ２０２では、決済機器２００から位置情報取得指示を受信したか否かを判断する。ここで、位置情報取得指示を受信したと判断した場合はステップＳ２０３に進み、受信しなかったと判断した場合は処理を終了する。
【００４７】
ステップＳ２０３では、位置情報取得部１０４が携帯端末１００の現在の位置情報を取得する。位置情報の取得には、携帯端末１００が備えるＧＰＳ、基地局測位等の位置情報取得機能が利用される。
ステップＳ２０４では、機器位置情報送信部１０５が、決済履歴管理サーバ３００に対して、取得した位置情報が含まれる機器位置情報を送信する。この機器位置情報には、少なくとも、取得した位置情報（緯度及び経度）と、決済機器２００から送信された決済機器ＩＤと、決済時刻が含まれている。
【００４８】
図９は、機器位置情報格納時における決済履歴管理サーバの動作手順を示すフローチャート、図１０は、決済履歴管理サーバにおける機器位置情報の格納例を示す説明図である。
図９に示すように、決済履歴管理サーバ３００が機器位置情報を格納するにあたり、まず、ステップＳ３０１では、携帯端末１００が送信した機器位置情報を受信する。
【００４９】
ステップＳ３０２では、決済履歴管理サーバ３００が取得する現在時刻と、携帯端末１００から送信されてきた機器位置情報に含まれる決済時刻とを比較する。現在時刻が決済時刻と一定時間以内に収まっている場合には、携帯端末１００の現在位置が、決済を行った決済機器２００の位置と近いと想定できるので、ステップＳ３０３に進む。一方、二つの時刻の差が一定時間以内に収まっていない場合には、なんらかの理由で携帯端末１００が決済機器２００と離れた位置で現在位置取得を行ったと考えられるので、その位置情報の信頼性に問題があると判断し、受信した機器位置情報を無効とする。
【００５０】
ステップＳ３０３では、携帯端末１００から受信した機器位置情報の中から、決済機器ＩＤと位置情報（緯度及び経度）を抽出し、これを決済機器情報格納部３０４の該当部分に格納する。
例えば、図１０に示すように、決済機器ＩＤが一致する行の緯度・経度の欄に、携帯端末１００から受信した機器位置情報に含まれる緯度・経度を格納し、位置情報登録状況を「あり」に変更する。
ステップＳ３０４では、決済機器２００の位置情報が決済履歴管理サーバ３００に格納されたことを、当該決済機器２００に通知する。これにより、決済機器２００の位置情報格納状態管理部２０５の内容が、「格納あり」に変更される。
【００５１】
図１１は、決済履歴表示データの例を示す説明図である。
決済履歴管理システムによって収集・管理される決済履歴情報の利用例としては、決済履歴情報サービスと、地図情報サービスを組み合わせたサービスが考えられる。
地図情報サービスでは、地図上に決済機器２００が存在する位置にマークを付けて表示することができる。これは、決済履歴管理サーバ３００の決済機器情報格納部３０４に格納された情報と、地図データを合成することで可能となる。
また、利用者が自分の携帯端末１００で地図を参照した際には、決済を行ったことがある決済機器２００のマークを変化させて表示することも可能となる。これは、決済機器情報格納部３０４に格納された情報と、履歴情報格納部３０２に格納された情報と、地図データを合成することで可能となる。
例えば、図１１に示すように、携帯端末１００に表示される地図上において、決済機器２００が存在する場所にマークが付けられ、また、その利用者が電子決済を行ったことがある決済機器２００の場所には、別のマークが付けられる。
【００５２】
以上のように構成された本実施形態の決済履歴管理システムによれば、電子決済の利用者が所持する携帯端末１００と、電子決済を行う場所に設置される決済機器２００と、携帯端末１００及び決済機器２００と通信可能に接続される決済履歴管理サーバ３００と、を備え、決済機器２００が、決済機器自身の識別子である決済機器ＩＤを格納する機器ＩＤ情報格納部２０１と、決済機器自身の位置情報が決済履歴管理サーバ３００に格納された状態であるか否かを管理する位置情報格納状態管理部２０５と、電子決済を行う際に携帯端末１００と近距離通信を行う近距離通信部２０２と、携帯端末１００との間で電子決済を実行する決済実行部２０３と、電子決済を行った際に、決済日時、決済相手の携帯端末ＩＤ及び決済機器ＩＤが含まれる決済履歴情報を決済履歴管理サーバ３００に送信する決済履歴送信部２０４と、決済機器自身の位置情報が決済履歴管理サーバ３００に格納されていない場合に、近距離通信中の携帯端末に対して位置情報取得指示を送信する位置情報取得指示部２０６と、を備え、携帯端末１００が、携帯端末自身の識別子である携帯端末ＩＤを格納する端末ＩＤ情報格納部１０１と、電子決済を行う際に決済機器２００と近距離通信を行う近距離通信部１０２と、決済機器２００との間で電子決済を実行する決済実行部１０３と、決済機器２００から位置情報取得指示を受信した場合に、現在の位置情報を取得する位置情報取得部１０４と、取得した位置情報を決済履歴管理サーバ３００に送信する機器位置情報送信部１０５と、を備え、決済履歴管理サーバ３００が、決済機器２００が送信した決済履歴情報を受信する履歴情報受信部３０１と、受信した決済履歴情報を格納する履歴情報格納部３０２と、携帯端末１００が取得した位置情報を携帯端末１００から受信する機器位置情報受信部３０３と、受信した位置情報を該当する決済機器ＩＤと関連付けて格納する決済機器情報格納部３０４と、を備えるので、決済機器自身の位置情報が決済履歴管理サーバ３００に格納されていない場合に、決済相手の携帯端末１００が持つＧＰＳ、基地局測位等の位置情報取得機能を利用して決済機器自身の位置情報を取得し、これを決済履歴管理サーバ３００に自動的に格納することができる。これにより、位置情報が含まれる決済履歴情報を取得するにあたって、事前に決済機器２００の位置を調査したり、調査により取得した位置情報を決済履歴管理サーバ３００に手作業で登録する等の煩雑な作業が不要になる。しかも、携帯端末１００の位置情報取得機能を利用する回数は、決済履歴管理サーバ３００が管理する決済機器２００の総数を超えることはないので、利用者の携帯端末１００に過度な負担をかけることのないものとできる。
【００５３】
また、携帯端末１００の機器位置情報送信部１０５が、取得した位置情報及び決済相手の決済機器ＩＤが含まれる決済機器位置情報を決済履歴管理サーバ３００に送信し、決済履歴管理サーバ３００の決済機器情報格納部３０４が、受信した決済機器位置情報に含まれる位置情報と決済機器ＩＤを関連付けて格納するので、決済機器２００から送信される決済履歴情報との照合を行うことなく、位置情報と決済機器ＩＤを関連付けて格納することができる。
【００５４】
また、携帯端末１００の機器位置情報送信部１０５が、決済時刻が含まれる決済機器位置情報を決済履歴管理サーバ３００に送信し、決済履歴管理サーバ３００の決済機器情報格納部３０４が、決済機器位置情報の受信時刻又は現在時刻と、受信した決済機器位置情報に含まれる決済時刻とを比較し、両時刻の差が所定時間以内である場合にのみ、受信した決済機器位置情報に含まれる位置情報と決済機器ＩＤを関連付けて格納するので、何らかの理由で決済機器２００から離れた位置で携帯端末１００が位置情報取得を行った場合に、その位置情報が決済機器２００の位置として決済履歴管理サーバ３００に格納されることを防止し、決済履歴管理サーバ３００に格納される位置情報の精度を保つことができる。
【００５５】
また、決済履歴管理サーバ３００が、決済機器情報格納部３０４に格納された決済機器２００の位置情報と、履歴情報格納部３０２に格納された決済履歴情報と、地図データとが合成された決済履歴表示データを生成する決済履歴表示データ生成部３０５を備えるので、決済履歴情報サービスと、地図情報サービスを組み合わせたサービスの提供が可能となる。
【００５６】
［第三実施形態］
つぎに、本発明の第三実施形態に係る決済履歴管理システムについて、図１２を参照して説明する。ただし、前記実施形態と共通する部分については、同じ符号を用いることにより、前記実施形態の説明を援用する。
【００５７】
図１２は、本発明の第三実施形態に係る決済履歴管理システムのブロック図である。
この図に示すように、第三実施形態に係る決済履歴管理システムは、携帯端末１００が取得した位置情報を、携帯端末１００から決済履歴管理サーバ３００に直接送信することなく、近距離通信で決済機器２００に送信し、決済機器２００から決済履歴管理サーバ３００に送信する点が前記実施形態と相違している。
【００５８】
具体的には、携帯端末１００の機器位置情報送信部１０５は、取得した位置情報を決済機器２００にのみ送信する。
決済機器２００は、携帯端末１００から送信された位置情報を受信する機器位置情報受信部２０８と、受信した位置情報及び決済機器ＩＤが含まれる決済機器位置情報を決済履歴管理サーバ３００に送信する機器位置情報送信部２０９とを備えている。
また、決済履歴管理サーバ３００は、決済機器情報格納部３０４が、決済機器２００から受信した決済機器位置情報に含まれる位置情報と決済機器ＩＤを関連付けて格納する構成となっている。
【００５９】
このように構成された第三実施形態の決済履歴管理システムによれば、第一、第二実施形態と同様の効果が得られるだけでなく、携帯端末１００の負担を軽減できるという利点がある。
すなわち、携帯端末１００が取得した位置情報を、携帯端末１００から決済履歴管理サーバ３００に送信する必要がないので、この送信によって生じる通信パケットや電力消費が不要となる。
【００６０】
以上、本発明について、実施形態を示して説明したが、本発明は、上述した実施形態にのみ限定されるものではなく、特許請求の範囲内で種々の変更が可能であることは言うまでもない。
【産業上の利用可能性】
【００６１】
本発明は、電子決済の履歴情報を収集して管理する決済履歴管理システム及び決済履歴管理方法、さらには、電子決済を行う場所に設置される決済機器に適用することができ、特に、位置情報が含まれる決済履歴情報を取得することが求められる決済履歴管理システムにおいて好適に用いることができる。
【符号の説明】
【００６２】
１００  携帯端末
１０１  端末ＩＤ情報格納部
１０２  近距離通信部
１０３  決済実行部
１０４  位置情報取得部
１０５  機器位置情報送信部
１０６  決済履歴情報表示部
２００  決済機器
２０１  機器ＩＤ情報格納部
２０２  近距離通信部
２０３  決済実行部
２０４  決済履歴送信部
２０５  位置情報格納状態管理部
２０６  位置情報取得指示部
２０７  決済履歴格納部
２０８  機器位置情報受信部
２０９  機器位置情報送信部
３００  決済履歴管理サーバ
３０１  履歴情報受信部
３０２  履歴情報格納部
３０３  機器位置情報受信部
３０４  決済機器情報格納部
３０５  決済履歴表示データ生成部
【図１】
2010250471.tif 000003
【図２】
2010250471.tif 000004
【図３】
2010250471.tif 000005
【図４】
2010250471.tif 000006
【図５】
2010250471.tif 000007
【図６】
2010250471.tif 000008
【図７】
2010250471.tif 000009
【図８】
2010250471.tif 000010
【図９】
2010250471.tif 000011
【図１０】
2010250471.tif 000012
【図１１】
2010250471.tif 000013
【図１２】
2010250471.tif 000014